(57)【要約】      （修正有）【課題】カーナビでのタッチパネルによる文字入力の操作性を向上させる。【解決手段】制御部は、タッチパネルディスプレイ７に表示された修正キーを操作した場合に、複数の文字キー、または、数字キー、あるいは、符号キーの内、入力操作が成されたキーに隣接する文字キー、または、数字キー、あるいは、符号キーを、前記操作されたキーよりも拡大した状態で前記タッチパネルディスプレイ７の入力設定エリア２２に表示させる構成としており、本来入力しようとしたキーを正しく簡単に操作することができる。【選択図】図５
2013196563.tif 000002
【特許請求の範囲】
【請求項１】
入力用の複数の文字キー、または、数字キー、あるいは、符号キーが表示されるタッチパネルディスプレイと、このタッチパネルディスプレイに接続された制御部とを備え、
前記制御部は、前記タッチパネルディスプレイに修正キーを表示させ、この修正キーが操作された場合には、前記複数の文字キー、または、数字キー、あるいは、符号キーの内、入力操作が成されたキーに隣接する文字キー、または、数字キー、あるいは、符号キーを、前記操作されたキーよりも拡大した状態で前記タッチパネルディスプレイに表示させる構成とした電子機器。
【請求項２】
前記制御部は、前記タッチパネルディスプレイに修正キーを表示させ、この修正キーが操作された場合には、前記複数の文字キー、または、数字キー、あるいは、符号キーの内、入力操作が成されたキーに隣接する複数の文字キー、または、複数の数字キー、あるいは、複数の符号キーを、前記操作されたキーよりも拡大した状態で前記タッチパネルディスプレイに表示させる構成とした請求項１に記載の電子機器。
【請求項３】
前記制御部は、前記タッチパネルディスプレイに、前記複数の文字キー、または、数字キー、あるいは、符号キーを表示するキー入力エリアと、修正キー表示エリアと拡大されたキーの拡大キー表示エリアを設定する構成とした請求項１または２に記載の電子機器。
【請求項４】
前記制御部は、入力操作されたキーに、タッチマークを表示させる構成とした請求項１から３いずれか一つに記載の電子機器。
【発明の詳細な説明】
【技術分野】
【０００１】
本発明は、たとえば、カーナビゲーション装置等の電子機器に関するものである。
【背景技術】
【０００２】
従来のこの種電子機器の構成は、入力用の複数の文字キー、または、数字キー、あるいは、符号キーが表示されるタッチパネルディスプレイと、このタッチパネルディスプレイに接続された制御部とを備えた構成となっており、入力は前記キーを操作することで行うようになっている（例えば下記特許文献１）。
【先行技術文献】
【特許文献】
【０００３】
【特許文献１】特開２００２−２８７９０７号公報
【発明の概要】
【発明が解決しようとする課題】
【０００４】
上記従来例においては、例えば運転席からキー入力を行う場合、斜め状態でキーを確認し、操作することになるので、設定されたキーの中央部分を操作することが難しく、必然的にキーの中央からずれた部分を操作し、その結果としてキーの誤入力が発生する。
【０００５】
そこで、この従来例においては、操作する個人の癖を掴み、キーの端を操作することが多い場合には、キーの表示をその端側に移行させる対策を講じるようにしている。
【０００６】
しかしながら、近年の電子機器においては、タッチパネルディスプレイに多くのキーを表示させ、各種の入力が行えるようにしているので、その場合には一つのキーの面積が小さくなり、その結果として、隣接する他のキーを操作してしまうことが発生する。
【０００７】
つまり、従来のようにキーが大きい場合には、キーの表示をずらせることで操作性を向上することができたが、近年のようにキーが小さくなると、隣接する他のキーを操作してしまうので、その場合にはキーの表示をずらせることでは適切な入力を実行することはできず、結論として操作性の悪いものとなる。
【０００８】
そこで本発明は、操作性を向上させることを目的とする。
【課題を解決するための手段】
【０００９】
そして、この目的を達成するために本発明は、入力用の複数の文字キー、または、数字キー、あるいは、符号キーが表示されるタッチパネルディスプレイと、このタッチパネルディスプレイに接続された制御部とを備え、前記制御部は、前記タッチパネルディスプレイに修正キーを表示させ、この修正キーが操作された場合には、前記複数の文字キー、または、数字キー、あるいは、符号キーの内、入力操作が成されたキーに隣接する文字キー、または、数字キー、あるいは、符号キーを、前記操作されたキーよりも拡大した状態で前記タッチパネルディスプレイに表示させる構成とし、これにより所期の目的を達成するものである。
【発明の効果】
【００１０】
以上のように、本発明は、入力用の複数の文字キー、または、数字キー、あるいは、符号キーが表示されるタッチパネルディスプレイと、このタッチパネルディスプレイに接続された制御部とを備え、前記制御部は、前記タッチパネルディスプレイに修正キーを表示
させ、この修正キーが操作された場合には、前記複数の文字キー、または、数字キー、あるいは、符号キーの内、入力操作が成されたキーに隣接する文字キー、または、数字キー、あるいは、符号キーを、前記操作されたキーよりも拡大した状態で前記タッチパネルディスプレイに表示させる構成としたしたものであるので、操作性を向上することができる。
【００１１】
すなわち、本発明における制御部は、前記タッチパネルディスプレイに修正キーを表示させ、この修正キーが操作された場合には、前記複数の文字キー、または、数字キー、あるいは、符号キーの内、入力操作が成されたキーに隣接する文字キー、または、数字キー、あるいは、符号キーを、前記操作されたキーよりも拡大した状態で前記タッチパネルディスプレイに表示させる構成としたしたものであるので、本来入力しようとしたキーを正しく簡単に操作することができ、極めて操作性の高いものとすることができるのである。
【図面の簡単な説明】
【００１２】
【図１】本発明の一実施形態における電子機器を搭載した自動車を示す正面図
【図２】同電子機器のブロック図
【図３】同電子機器の表示内容を示す図
【図４】同電子機器の表示内容を示す図
【図５】同電子機器の表示内容を示す図
【図６】同電子機器の動作フローチャート図
【発明を実施するための形態】
【００１３】
以下、本発明の実施の形態を、カーナビゲーション装置を例に取り、添付図面を用いて説明する。
【００１４】
（実施の形態１）
図１において、１は自動車を示し、その車内２前方部分には、ハンドル３が設けられ、そのハンドル３の側方には電子機器の一例としてカーナビゲーション装置４が設置されている。また、ハンドル３に対向して運転席５が設けられ、この運転席５の側方には助手席６が設けられている。
【００１５】
前記カーナビゲーション装置４は、例えば目的地設定時には、入力用の複数の文字キー、または、数字キー、あるいは、符号キーが表示され、また、目的地設定後には、地図情報が表示されるタッチパネルディスプレイ７と、このタッチパネルディスプレイ７に接続された制御部８とを備えている。
【００１６】
また、制御部８には、現在地検出部９を介してＧＰＳアンテナ１０が接続されている。さらに、この制御部８には、地図情報等を記憶したメモリ１１と、前記タッチパネルディスプレイ７の操作位置を記憶するメモリ１２接続されている。さらに、この制御部８には、スイッチ制御部１３を介して、例えば電源ボタンのようなスイッチ１４も接続されている。
【００１７】
なお、１５は、各部に電源を供給する電源部である。
【００１８】
また、前記タッチパネルディスプレイ７は、よく知られているように、表示部１６と、その前面に配置したタッチセンサー部１７とを備えている。
【００１９】
以上の構成において、タッチパネルディスプレイ７により、目的地として横浜駅を文字入力する場合について説明する。
【００２０】
この場合には、よく知られているように、まず最初にタッチパネルディスプレイ７にはメニュー画面が表示（図６のＳ１）されているので、その中から名称入力キーを操作（図６のＳ２）し、それによって、図３に示す入力キーボードを表示させる（図６のＳ３）。
【００２１】
入力キーボード表示状態においては、図３に示す如く、タッチパネルディスプレイ７には、その中央部に複数の文字キー、または、数字キー、あるいは、符号キーを表示するキー入力エリア１８が設けられ、上部には、修正キー表示エリア１９と、入力確認窓２０が設けられ、下部には、入力設定エリア２１、２２が設けられている。
【００２２】
したがって、そのキー入力エリア１８の中から「よ」「こ」「は」と順に入力を行うが、次に「ま」と入力すべき状態で誤って図４の如く「や」を入力してしまった場合（図６のＳ４）には、前記入力確認窓２０には、「よこはや」と表示される。
【００２３】
この入力確認窓２０の表示を確認した入力者は、図４に示す如く、次に修正キー表示エリア１９の修正キー２３を操作することになる（図６のＳ５）。
【００２４】
すると、制御部８は、直前に入力された「や」を消去（図６のＳ６）するとともに、図５に示す如く、誤って操作された「や」部分にタッチマーク２４を表示させ（図６のＳ７）、そのタッチマーク２４の座標は、メモリ１２に記憶させられる。
【００２５】
続いて、制御部８は、メモリ１２に記憶させられたタッチマーク２４の座標からそれに隣接するキーを修正候補として入力設定エリア２２に表示させる（図６のＳ８、Ｓ９）。
【００２６】
具体的には、本実施形態において、タッチマーク２４に最も近いキーは、「ま」、続いて、「み」、次に、「ゆ」、さらに、「ら」が入力設定エリア２２にキー入力エリア１８で表示されていたものよりも遥かに大きな状態で表示されることになる。
【００２７】
したがって、入力者はこの大きくなった入力設定エリア２２の表示から「ま」を操作する（図６のＳ１０）。
【００２８】
すると、この図５に示すように、入力確認窓２０には、「よこはま」と修正後の正しいものが表示され、この状態では、図３の状態に戻り、キー入力エリア１８部分のタッチマーク２４や、入力設定エリア２２の大文字となった「ま」、「み」、「ゆ」、「ら」の表示が消去（図６のＳ１１）される。
【００２９】
したがって、以降は、「え」「き」を入力し、入力設定エリア２１の完了キー２５を操作すれば（図６のＳ１２）、入力文字列が「よこはまえき」と確定し（図６のＳ１３）、それにより検索が実行されるようになっている（図６のＳ１４）。
【００３０】
なお、Ｓ１２によって、完了キー２５が操作されない場合には、Ｓ１５を介して、Ｓ４へと戻るループが実行されることになる。
【００３１】
以上のように、本実施形態における制御部８は、前記タッチパネルディスプレイ７に表示された修正キー２３を操作した場合に、複数の文字キー、または、数字キー、あるいは、符号キーの内、入力操作が成されたキーに隣接する文字キー、または、数字キー、あるいは、符号キーを、前記操作されたキーよりも拡大した状態で前記タッチパネルディスプレイ７の入力設定エリア２２に表示させる構成としたしたものであるので、本来入力しようとしたキーを正しく簡単に操作することができ、極めて操作性の高いものとすることができるのである。
【産業上の利用可能性】
【００３２】
以上のように、本発明においては、入力用の複数の文字キー、または、数字キー、あるいは、符号キーが表示されるタッチパネルディスプレイと、このタッチパネルディスプレイに接続された制御部とを備え、前記制御部は、前記タッチパネルディスプレイに修正キーを表示させ、この修正キーが操作された場合には、前記複数の文字キー、または、数字キー、あるいは、符号キーの内、入力操作が成されたキーに隣接する文字キー、または、数字キー、あるいは、符号キーを、前記操作されたキーよりも拡大した状態で前記タッチパネルディスプレイに表示させる構成としたしたものであるので、操作性を向上することができる。
【００３３】
すなわち、本発明における制御部は、前記タッチパネルディスプレイに修正キーを表示させ、この修正キーが操作された場合には、前記複数の文字キー、または、数字キー、あるいは、符号キーの内、入力操作が成されたキーに隣接する文字キー、または、数字キー、あるいは、符号キーを、前記操作されたキーよりも拡大した状態で前記タッチパネルディスプレイに表示させる構成としたしたものであるので、本来入力しようとしたキーを正しく簡単に操作することができ、極めて操作性の高いものとすることができるのである。
【００３４】
したがって、カーナビゲーション装置等としての活用が期待されるものとなる。
【符号の説明】
【００３５】
１  自動車
２  車内
３  ハンドル
４  カーナビゲーション装置
５  運転席
６  助手席
７  タッチパネルディスプレイ
８  制御部
９  現在地検出部
１０  てＧＰＳアンテナ
１１  メモリ
１２  メモリ
１３  スイッチ制御部
１４  スイッチ
１５  電源部
１６  表示部
１７  タッチセンサー部
１８  キー入力エリア
１９  修正キー表示エリア
２０  入力確認窓
２１  入力設定エリア
２２  入力設定エリア
２３  修正キー
２４  タッチマーク
２５  完了キー
【図１】
2013196563.tif 000003
【図２】
2013196563.tif 000004
【図３】
2013196563.tif 000005
【図４】
2013196563.tif 000006
【図５】
2013196563.tif 000007
【図６】
2013196563.tif 000008